(57)【要約】【課題】機械的強度を強化しつつ力率の低下を抑制することができる回転子鉄心、回転子及び同期リラクタンス回転電機を提供する。【解決手段】回転子鉄心は、複数のフラックスバリアと、複数の前記フラックスバリアの少なくとも一つ以上に設けられた一つ又は複数のブリッジと、を備える。前記フラックスバリアは、共通する円弧中心をその外周部の近傍に有する円弧形状に構成された空洞部であり、前記ブリッジは前記フラックスバリアの端部以外の場所に架橋するように配置されるものであり、前記ブリッジは、前記円弧中心を通る同一の直線上に位置しないように配置される。【選択図】図１
2019180132.tif 000002
【特許請求の範囲】
【請求項１】
複数のフラックスバリアと、
複数の前記フラックスバリアの少なくとも一つ以上に設けられた一つ又は複数のブリッジと、を備え、
前記フラックスバリアは、共通する円弧中心をその外周部の近傍に有する円弧形状に構成された空洞部であり、
前記ブリッジは前記フラックスバリアの端部以外の場所に架橋するように配置されるものであり、
前記ブリッジは、前記円弧中心を通る同一の直線上に位置しないように配置される、
回転子鉄心。
【請求項２】
前記ブリッジは略矩形状に構成されており、その延伸方向は、前記円弧中心に向いている、請求項１に記載の回転子鉄心。
【請求項３】
前記ブリッジは略矩形状に構成されており、その側部を形成する直線の方向は、前記円弧中心に向いている請求項１に記載の回転子鉄心。
【請求項４】
ブリッジが形成されたフラックスバリアのうち最外周のフラックスバリアにはブリッジが一つ形成され、前記最外周のフラックスバリアの径方向内側に位置するフラックスバリアには偶数個のブリッジが形成されている請求項１から３の何れか一項に記載の回転子鉄心。
【請求項５】
前記最外周のフラックスバリアに形成されたブリッジは前記最外周のフラックスバリアの中央部に形成されており、前記最外周のバリアの径方向内側に位置するフラックスバリアに形成されたブリッジは、フラックスバリアの中央部に形成されていない請求項４に記載の回転子鉄心。
【請求項６】
フラックスバリアが径方向内側に位置するに従い、フラックスバリアに設けられるブリッジの数は増加する請求項４又は５に記載の回転子鉄心。
【請求項７】
請求項１から６に記載の回転子鉄心により構成される回転子。
【請求項８】
請求項７に記載の回転子を用いて構成される同期リラクタンス回転電機。
【発明の詳細な説明】
【技術分野】
【０００１】
本発明の実施形態は、回転子鉄心、回転子及び同期リラクタンス回転電機に関する。
【背景技術】
【０００２】
同期リラクタンス回転電機は、回転子に永久磁石や導体を有しない回転電機である。同期リラクタンス回転電機では、回転子鉄心のｑ軸磁束の流れに沿った形状の空洞部であるフラックスバリアにより磁束の流路を制御することにより、回転力を発生させている。
【０００３】
同期リラクタンス回転電機では、遅れ電流の無効成分で磁束を発生させているため、力率が低いことが課題であり、力率が低い回転機ほど電流容量の大きな半導体素子が必要となる。このため、既存設備の置換を鑑みると力率の改善は同期リラクタンス回転電機における最大の課題である。この力率の改善策の一つとして、フラックスバリア端部において回転子鉄心をつなぎとめる外周ブリッジの幅を狭くし、漏れ磁束を低減させることが考えられる。
【０００４】
しかし、外周ブリッジをあまり狭くすると、同期リラクタンス回転電機の高速回転駆動時や、同期リラクタンス回転電機が大型である場合に、回転子鉄心の変形や破損を発生させる場合がある。
【先行技術文献】
【特許文献】
【０００５】
【特許文献１】特開２０１５−２０４６６４号公報
【特許文献２】特開２０１６−１３５０５５号公報
【発明の概要】
【発明が解決しようとする課題】
【０００６】
そこで、機械的強度を強化しつつ力率の低下を抑制することができる回転子鉄心、回転子及びこれを用いて構成される同期リラクタンス回転電機を提供する。
【課題を解決するための手段】
【０００７】
実施形態に係る回転子鉄心は、複数のフラックスバリアと、複数の前記フラックスバリアの少なくとも一つ以上に設けられたブリッジと、を備える。前記フラックスバリアは、円弧中心をその外周部に有する円弧形状に構成された空洞部であり、前記ブリッジは前記フラックスバリアの端部以外の場所に架橋するように配置される。前記ブリッジは、前記円弧中心を通る同一の直線上に位置しないように配置される。
【図面の簡単な説明】
【０００８】
【図１】第１実施形態に係る回転子及び固定子の概略構成を示す平面図
【図２】第２実施形態に係る回転子の概略構成を示す平面図
【発明を実施するための形態】
【０００９】
以下、実施形態について図面に基づいて説明する。以下の説明において、回転中心軸Ｏに対して平行な方向を軸方向と称する。また、回転中心軸Ｏの周りを回転中心軸Ｏに対して同軸に周回する方向を周方向と称する。また、回転中心軸Ｏに対して直行する方向を径方向と称する。また以下の説明において、同様の要素については同様の符号を付与して説明は省略し、異なる要素について説明する。
【００１０】
（第１実施形態）
以下に第１実施形態について説明する。図１では、同期リラクタンス回転電機１の１／４セクター、すなわち１／４周角度領域、言い換えれば磁極の一極分を示している。各１／４周角度領域において、固定子３及び回転子４は同一構造を備えている。
【００１１】
図１に示すように、同期リラクタンス回転電機１は固定子３及び回転子４を備えている。固定子３は固定子鉄心１０により構成されている。同期リラクタンス回転電機１においては、固定子鉄心１０の外周面が図示しないフレームの内周面に嵌合固定されている。固定子鉄心１０の径方向中心は、回転中心軸Ｏと一致している。
【００１２】
固定子鉄心１０は、例えば、軟磁性粉を加圧成型して形成され電磁鋼板を複数枚積層して形成されている。固定子鉄心１０の内周面には、回転中心軸Ｏに向かって突出し、周方向に等間隔で配列された複数のティース１１が一体成型されている。各ティース１１は、固定子鉄心１０の回転中心軸Ｏに対して点対称に、放射状に配置されている。各ティース１１は、断面略矩形状に形成されている。隣接する各ティース１１間には、それぞれスロット１２が形成されている。これらスロット１２を介し、各ティース１１には、巻線１３が集中巻き方式で巻回されてコイルが形成されている。
【００１３】
回転子４は、固定子鉄心１０の径方向内側に配置されている。回転子４は径方向内側中心部に軸方向に延びる図示しない回転軸を備えており、回転軸の外周に嵌合固定された略円柱状の回転子鉄心１５が備えられている。同期リラクタンス回転電機１において、回転軸は回転中心軸Ｏの周りに配置された図示しないベアリングにより回転自在に支持される。
【００１４】
回転子鉄心１５は、複数の薄板円板状の回転子鋼板１５ａを回転軸方向に積層することにより形成されている。回転子鋼板１５ａは、例えば軟磁性粉を略円板状に加圧整形し、貫通孔１６、フラックスバリア２０等を打ち抜くことにより形成される。以下、回転子鉄心１５を中心に説明するが、回転子鉄心１５に関する説明は、これを構成する回転子鋼板１５ａにも当てはまる。第１実施形態においては３つのフラックスバリア２０が形成されている例を例示している。
【００１５】
回転子鉄心１５の外周部１５ｂは径方向で対向する各ティース１１との間に、所定のエアギャップが形成されるように設定されている。また、回転子鉄心１５の径方向中央には、軸方向に貫通する貫通孔１６が形成されている。この貫通孔１６に図示しない回転軸が圧入される。
【００１６】
回転子鉄心１５には、１／４周の周角度領域のそれぞれに３層の空洞部であるフラックスバリア２０（２０ａ、２０ｂ、２０ｃ）が径方向に並んで形成されている。以下の説明において、フラックスバリア２０ａ、２０ｂ、２０ｃを総称して示す場合は、フラックスバリア２０と称する。フラックスバリア２０において、回転中心軸Ｏを基準として径方向最外側に第１フラックスバリア２０ａが形成され、この第１フラックスバリア２０ａから径方向内側に向かって順に第２フラックスバリア２０ｂ、第３フラックスバリア２０ｃが並んで形成されている。第３フラックスバリア２０ｃが回転中心軸Ｏを基準として径方向の最も内側に配置されている。
【００１７】
フラックスバリア２０は巻線１３に通電した際に形成される磁束の流れに沿うように形成されている。これにより、回転子鉄心１５には、磁束の流れやすい方向と磁束の流れにくい方向が形成される。
【００１８】
フラックスバリア２０ａ、２０ｂ、２０ｃ以外の領域は磁路２１（２１ａ、２１ｂ、２１ｃ、２１ｄ）となっている。磁路２１は、各フラックスバリア２０間、及び、最外周の第１フラックスバリア２０ａと外周部１５ｂとの間、最内周の第３フラックスバリア２０ｃと貫通孔１６との間に設けられている。
【００１９】
本実施形態において、１／４周の周角度領域に配置された複数のフラックスバリア２０ａ、２０ｂ、２０ｃが形成されている領域をフラックスバリア形成領域２００とした場合に、隣接するフラックスバリア形成領域２００間は、磁束が流れやすい方向、すなわち、各フラックスバリア形成領域２００によって磁束の流れが妨げられない方向となっている。この磁束が流れやすい方向に沿った仮想的な線をｑ軸と称する。ｑ軸に対して、電気的、磁気的に直行する径方向に延伸する仮想的な線をｄ軸と称する。ｄ軸はフラックスバリア形成領域２００間の中央部の径方向に延伸する線となる。また、ｄ軸に直行する方向をフラックスバリア２０の長手方向と称する。各フラックスバリア２０は、ｄ軸に沿った径方向において多層構造となる。実施形態の場合、フラックスバリア２０は３層構造となっている。また、回転子鉄心１５の一極とは、隣接するｑ軸間の領域を意味する。
【００２０】
ここで、同期リラクタンス回転電機１の運転時に、回転子鉄心１５において励起される磁束の方向はｄ軸方向であり、ｄ軸に対して電気的磁気的に直交する方向がｑ軸となる。本実施形態では、ｄ軸は、ｑ軸に対して電気的、磁気的に直行する場合に限らず、直行する角度からある程度の角度幅、例えば機械角で１０度程度の角度を備えてもよい。実施形態では、ｄ軸とｑ軸は機械角で４５度の角度をなしている。
【００２１】
個々のフラックスバリア２０は、ｄ軸と交わる個所において最も径方向内側に位置するように、径方向内側すなわち回転中心軸Ｏ方向に向かって凸となる略三日月形状又は円弧形状となるように湾曲形成されている。また、各フラックスバリア２０は、その長手方向両端が、回転子鉄心１５の外周部に位置するように湾曲した円弧形状となっている。各フラックスバリア２０は、長手方向両端に近い箇所ほどｑ軸に沿うような向きに、且つ、長手方向中心に近い箇所ほどｄ軸と直行するような曲率を有して形成されている。
【００２２】
ｑ軸方向において、各フラックスバリア２０の長手方向両端と、回転子鉄心１５の外周部１５ｂとの間の薄肉部は、それぞれブリッジ（以下、外周ブリッジ）２６となっている。また、各フラックスバリア２０の中央部には、空洞部であるフラックスバリア２０の端部以外の場所に架橋するように構成されたブリッジ（以下、中央ブリッジと称する）２７、２８、２９が形成されている。フラックスバリア２０は中央ブリッジ２７、２８、２９により複数に分断される。第１フラックスバリア２０ａは比較的小さく構成されているため回転子鉄心１５の機械的強度をあまり低下させていないと考えられる。そこで、実施形態では中央ブリッジは設けられていないが、中央ブリッジを設ける構成としてもよい。
【００２３】
各フラックスバリア２０に共通する円弧中心は、ｄ軸上であって外周部１５ｂの近傍に位置する略点Ｐとする。中央ブリッジ２７は、第２フラックスバリア２０ｂの中央部であって、点Ｐを通る略ｄ軸上に位置している。中央ブリッジ２７は矩形状に構成されており、中央ブリッジ２７が延伸する方向すなわち第２フラックスバリア２０ｂに対する中央ブリッジ３３、３４、３５、３６の延伸方向又は架橋方向はｄ軸方向に略一致するように構成されている。
【００２４】
中央ブリッジ２７の両側部を構成するブリッジ側部２７ａ、２７ａは略直線状に構成されており、その直線方向はｄ軸方向に略一致するように構成されている。略三日月形状又は略円弧形状となるように形成されたフラックスバリア２０の共通する円弧中心である略点Ｐ方向となる。
【００２５】
中央ブリッジ２８及び２９は、第３フラックスバリア２０ｃに設けられている。中央ブリッジ２８と２９は、第３フラックスバリア２０ｃを略三等分する位置に配置されている。点Ｐを通過し、ｄ軸に対してプラスマイナスθ度だけ角度を有した線をＬ１、Ｌ２とすると、中央ブリッジ２８と２９はそれぞれＬ１，Ｌ２上に位置している。
【００２６】
中央ブリッジ２８、２９は矩形状に構成されており、第３フラックスバリア２０ｃおける中央ブリッジ２８、２９の延伸方向又は架橋方向はそれぞれＬ１、Ｌ２方向に略一致するように構成されている。中央ブリッジ２８及び２９の両側部を構成するブリッジ側部２８ａ、２８ａ、２９ａ、２９ａは略直線状に構成されており、その直線方向は、Ｌ１方向、Ｌ２方向に略一致するように構成されている。
【００２７】
従って、矩形状に構成された中央ブリッジ２７、２８、２９の延伸方向もしくは架橋方向、及び略直線状に構成されたブリッジ側部２７ａ、２８ａ、及び２９ａの直線方向は、略円弧形状に構成された複数のフラックスバリア２０の共通する円弧中心である略点Ｐ方向に向いている。また、ｄ軸、Ｌ１、Ｌ２は重なっていない。従って、中央ブリッジ２７、２８、２９は、いずれも同一線上に位置していない。
【００２８】
第１実施形態に係る回転子鉄心１５によれば、以下の効果を得る。
フラックスバリア２０に中央ブリッジ２７、２８、２９が設けられている。より詳細には、第２フラックスバリア２０ｂに中央ブリッジ２７が、第３フラックスバリア２０ｃに中央ブリッジ２８、２９が設けられている。これにより、機械的強度が低いフラックスバリア２０形成領域の機械的強度を向上させることができる。従って、回転子鉄心１５及びこれにより構成される回転子４の機械的強度が向上し、変形、破損を抑制することができる。従って、回転子４を用いて構成された同期リラクタンス回転電機１の機械的強度が向上し、破損を抑制することができる。
【００２９】
また、フラックスバリア２０に設けられた中央ブリッジ２７、２８、２９は、ｄ軸と外周部１５ｂの交点である点Ｐを通過する同一の直線上（すなわち、ｄ軸、Ｌ１、Ｌ２上）に位置していない。従って、中央ブリッジ２７、２８、２９によって形成される磁路が同一の直線上に位置しないため、回転子鉄心１５及びこれを用いて構成された回転子４の磁気抵抗を増大させることができ、中央ブリッジ２７、２８、２９からの漏れ磁束を低減させることができる。従って、回転子鉄心１５を用いて形成した回転子４、及びこの回転子４を用いて形成した同期リラクタンス回転電機１のトルク及び力率性能の低下を抑制することができる。
【００３０】
また、もし、中央ブリッジ２７、２８、２９が局所的に配置されていたのであれば、フラックスバリア２０形成領域の局所的な機械的強度を強化する一方、機械的強度が弱い箇所が発生してしまい、結局、この弱い箇所によって変形、破損が発生してしまうため、回転子鉄心１５全体の機械的強度の向上は達成できない。第１実施形態に係る回転子鉄心１５の構成によれば、中央ブリッジ２７、２８、２９が略均等に分散して配置されるため、フラックスバリア２０形成領域全体の機械的強度を効率的に向上させることができる。従って、回転子鉄心１５、回転子４及び同期リラクタンス回転電機１の変形、破損を抑制し、機械的強度を向上させる効果を大きくすることができる。
【００３１】
以上のように、第１実施形態によれば、機械的強度を強化しつつ力率の低下を抑制可能な回転子鉄心１５、回転子４及びこれを用いた同期リラクタンス回転電機１を提供することができる。
【００３２】
（第２実施形態）
次に第２実施形態について図２を参照して説明する。図２は、同期リラクタンス回転電機１の固定子３を省略し、回転子鋼板１５ａのみを例示したものである。
【００３３】
第２実施形態では、回転子鉄心１５において、４層のフラックスバリア２２（２２ａ、２２ｂ、２２ｃ、２２ｄ）が設けられている。より具体的には、回転子鉄心１５の外周側から径方向内側に向かって、フラックスバリア２２ａ、２２ｂ、２２ｃ、２２ｄの順で４つのフラックスバリア２２が設けられている。それぞれのフラックスバリア２２は三日月形状もしくは円弧形状を備えており、その共通する円弧中心は略点Ｐとなる。それぞれのフラックスバリア２２の端部には外周ブリッジ２６が設けられている。
【００３４】
フラックスバリア２２（２２ａ、２２ｂ、２２ｃ、２２ｄ）以外の領域は磁路２３（２３ａ、２３ｂ、２３ｃ、２３ｄ、２３ｅ）となっている。磁路２３は、各フラックスバリア２２間、及び、最外周の第１フラックスバリア２３ａと外周部１５ｂとの間、径方向最内側の第４フラックスバリア２０ｄと貫通孔１６との間に形成されている。
【００３５】
各フラックスバリア２２には中央ブリッジ３０，３１、３２、３３，３４、３５、３６が設けられている。最外周の第１フラックスバリア２２ａには第１実施形態と同様に中央ブリッジは設けられていない。最外周から２番目に位置する第２フラックスバリア２２ｂには中央部に一つの中央ブリッジ３０が設けられている。最外周から３番目の第３フラックスバリア２２ｃには二つの中央ブリッジ３１、３２が設けられている。最外周から４番目に位置する第４フラックスバリア２２ｄには４つの中央ブリッジ３３、３４、３５、３６が設けられている。
【００３６】
回転子鉄心１５において、点Ｐを通り、ｄ軸に対してプラスマイナスθ度の角度を有した直線をＱ１、Ｑ２とする。また、点Ｐを通り、ｄ軸に対してプラスマイナスα度の角度を有した直線をＲ１、Ｒ２とする。また、点Ｐを通り、ｄ軸に対してプラスマイナスβ度の角度を有した直線をＳ１、Ｓ２とする。この場合、各角度の関係はθ＜α＜βである。
【００３７】
中央ブリッジ３０は、第２フラックスバリア２２ｂの中央部であって、略ｄ軸上に位置している。中央ブリッジ３０は矩形状に構成されており、第２フラックスバリア２２ｂに対する中央ブリッジ３０の延伸方向又は架橋方向は、はｄ軸方向に略一致するように構成されている。中央ブリッジ３０の両側部を構成するブリッジ側部３０ａ、３０ａは略直線状に構成されており、その直線方向は、ｄ軸方向に略一致するように構成されている。
【００３８】
中央ブリッジ３１及び３２は、第３フラックスバリア２２ｃに設けられている。中央ブリッジ３１と３２は、第３フラックスバリア２２ｃを略三等分する位置に配置されている。中央ブリッジ３１と３２はそれぞれＲ１、Ｒ２上に位置している。
【００３９】
中央ブリッジ３１、３２は矩形状に構成されており、第３フラックスバリア２２ｃに対する中央ブリッジ３１，３２の延伸方向又は架橋方向は、はそれぞれＲ１、Ｒ２方向に略一致するように構成されている。中央ブリッジ３１の両側部を構成するブリッジ側部３１ａ、３１ａは略直線状に構成されており、その直線方向はＲ１方向に略一致するように構成されている。中央ブリッジ３２の両側部を構成するブリッジ側部３２ａ、３２ａは略直線状に構成されており、その直線方向はＲ２方向に略一致するように構成されている。
【００４０】
中央ブリッジ３３、３４、３５、３６は、第４フラックスバリア２２ｄに配置されている。中央ブリッジ３３はＳ１上に位置し、中央ブリッジ３４はＱ１上に位置し、中央ブリッジ３５はＱ２上に位置し、中央ブリッジ３６はＳ２上に位置している。
【００４１】
中央ブリッジ３３、３４、３５、３６は矩形状に構成されており、第４フラックスバリア２２ｄに対する中央ブリッジ３３、３４、３５、３６の延伸方向又は架橋方向は、それぞれＳ１、Ｑ１、Ｑ２、Ｓ２方向に略一致するように構成されている。
【００４２】
中央ブリッジ３３の両側部を構成するブリッジ側部３３ａ、３３ａは略直線状に構成されており、その直線方向はＳ１方向に略一致するように構成されている。中央ブリッジ３４のブリッジ側部３４ａ、３４ａは略直線状に構成されており、その直線方向はＱ１方向に略一致するように構成されている。中央ブリッジ３５の両側部を構成するブリッジ側部３５ａ、３５ａは略直線状に構成されており、その直線方向はＱ２方向に略一致するように構成されている。中央ブリッジ３６の両側部を構成するブリッジ側部３６ａ、３６ａは略直線状に構成されており、その直線方向はＳ２方向に略一致するように構成されている。
【００４３】
従って、矩形状に構成された中央ブリッジ３０、３１、３２、３３、３４、３５、３６の延伸方向、及び略直線状に構成されたブリッジ側部３０ａ、３１ａ、３２ａ、３３ａ、３４ａ、３５ａ、３６ａ、の直線方向は、略円弧形状に構成されたフラックスバリア２０の共通する円弧中心である略点Ｐ方向に向いている。また、ｄ軸、Ｑ１、Ｑ２、Ｒ１、Ｒ２、Ｓ１、Ｓ２は重なっていない。従って、中央ブリッジ３０、３１、３２、３３、３４、３５、３６は、いずれも同一線上に位置していない。
【００４４】
上記に説明した第２実施形態によれば、第１実施形態と同様の効果を得る。さらに、径方向内側に近い位置のフラックスバリア２２であるほど、中央ブリッジ３０の数が多くなっている。中央ブリッジ３０の数は、中央ブリッジが設けられたフラックスバリア２２のうちで最も最外周に位置する第２フラックスバリア２２ｂには一つの中央ブリッジ３０が配置され、中央ブリッジ３０はフラックスバリア２２の中央部に位置するｄ軸上に配置されている。第２フラックスバリア２２ｂの次に径方向内側に位置する第３フラックスバリア２２ｃには２つの中央ブリッジ３１、３２が配置され、第３フラックスバリア２２ｃの中央配置を避けて、略均等距離となるように配置されている。さらにその次の径方向内側に位置する第４フラックスバリア２２ｄには、４つの中央ブリッジ３４〜３６が配置され、第４フラックスバリア２２ｄの中央配置を避けて略均等距離となるように配置されている。
【００４５】
このように、最外周から遠ざかるに従ってすなわち径方向内側に近づくに従ってフラックスバリア２２に配置する中央ブリッジ３０の数を増加させるとともに、中央ブリッジ３０を一つ配置したフラックスバリア２２（この場合第２フラックスバリア２２ｂ）の径方向内側に位置するフラックスバリア２２（この場合フラックスバリア２２ｃ、２２ｄ）には、偶数個の中央ブリッジ３０を配置している。これにより、固定子３の機械的強度を向上させながら、中央ブリッジ３０が同一の直線上に配置されることを回避することができる。これにより、中央ブリッジ３０〜３６によって形成される磁路が同一の直線上に位置しないため、回転子鉄心１５すなわちこれを用いて構成された回転子４の磁気抵抗を増大させることができ、中央ブリッジ３０〜３６からの漏れ磁束を低減させることができる。従って、回転子鉄心１５を用いて形成した回転子４、及びこの回転子４を用いて形成した同期リラクタンス回転電機１のトルク及び力率性能を向上させることができる。
【００４６】
以上のように、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
１…同期リラクタンス回転電機、３…固定子、４…回転子、１０…固定子鉄心、１５…回転子鉄心、１５ａ…回転子鋼板、１５ｂ…外周部、２０、２０ａ、２０ｂ、２０ｃ、２２、２２ａ、２２ｂ、２２ｃ、２２ｄ…フラックスバリア、２６…端部ブリッジ、２７、２８、２９、３０、３１、３２、３３、３４、３５、３６…中央ブリッジ、２７ａ、２８ａ、２９ａ、３０ａ、３１a、３２ａ、３３ａ、３４ａ、３５ａ、３６ａ…ブリッジ側部
【図１】
2019180132.tif 000003
【図２】
2019180132.tif 000004